(57)【要約】【課題】流入する石や鉄片等の硬い異物を粗目用バースクリーンより下流側に流下させ、バースクリーンより下流側の沈砂池等で処理するようにした粗目、細塵兼用バースクリーン式除塵機を提供すること。【解決手段】粗目用バースクリーンＢ１と細塵用バースクリーンＢ２とを所要の目幅になるよう組み合わせて一体に形成したバースクリーンＢを流水路に配設し、このバースクリーンＢに沿って昇降し、かつこれに捕捉されたごみ５を掻き揚げ排出するレーキＣを配設して構成した粗目、細塵兼用バースクリーン式除塵機Ａにおいて、流水路Ｄの底部位置にまで達するバースクリーンＢの下部位置に、細塵用バースクリーンＢ２を省いて粗目用バースクリーンＢ１のみにて流入石流下通路Ｅを構成する。【選択図】図１
2011236569.tif 000002
【特許請求の範囲】
【請求項１】
粗目用バースクリーンと細塵用バースクリーンとを所要の目幅になるよう組み合わせて一体に形成したバースクリーンを流水路に配設し、該バースクリーンに沿って昇降し、かつこれに捕捉されたごみを掻き揚げ排出するレーキを配設して構成した粗目、細塵兼用バースクリーン式除塵機において、流水路の底部位置にまで達するバースクリーンの下部位置に、細塵用バースクリーンを省いて粗目用バースクリーンのみにて流入石流下通路を構成したことを特徴とする粗目、細塵兼用バースクリーン式除塵機。
【請求項２】
流水路の底部位置にまで達するバースクリーンの下部位置に形成する流入石流下通路の高さを、流水路内に流入する石が流下する程度に設定して構成したことを特徴とする請求項１記載の粗目、細塵兼用バースクリーン式除塵機。
【請求項３】
粗目用バースクリーンの前端面を細塵用バースクリーンの前端面より前方位置に突出するように配設して構成したことを特徴とする請求項１又は２記載の粗目、細塵兼用バースクリーン式除塵機。
【発明の詳細な説明】
【技術分野】
【０００１】
本発明は、粗目、細塵兼用バースクリーン式除塵機に関し、特に、流水路の底部位置にまで達するバースクリーンの下部位置において、細塵用バースクリーンを省き、粗目用バースクリーンのみとした流入石流下通路を構成することで、流入する石や鉄片等の硬い異物をバースクリーン下部で堆積することなく、下流側に流下させて処理するようにし、また前記異物でのバースクリーン、レーキの破損を未然に防ぐようにした粗目、細塵兼用バースクリーン式除塵機に関するものである。
【背景技術】
【０００２】
従来、合流式下水処理場においては、汚水中にはし渣とともに砂、石などが混在しており、これらの砂、石などは、除塵機のスクリーンよりも下流側に設置される沈砂池で処理するようにしている。
しかし、近年小規模下水処理場においては、１台の除塵機にて汚水中の粗ごみと細塵とを同時に捕捉処理できるよう、特許文献１に開示されるような粗目、細塵兼用バースクリーン式除塵機が提案されている。
【０００３】
ところで、従来の粗目、細塵兼用バースクリーン式除塵機のバースクリーンは、特許文献１にも開示されているように粗目用バースクリーンと細塵用バースクリーンとを組み合わせて一体とし、これに粗目用レーキと細塵用レーキとを組み合わせて一体としたレーキにて粗ごみ、細塵を一緒に掻き揚げ排出するようにしている。
そして、この細塵用バースクリーンの目幅が近年小さくなってきており、しかも粗目、細塵兼用バースクリーンは共に池底にまで達するように構成している。
【０００４】
このため、近年しばしば発生するゲリラ豪雨時等においては、大量の雨水と一緒に石、砂も大量に流入し、水かさが増すと共に流速も急に速くなったりして、スクリーン下部に流入した石や鉄片等の硬い異物が堆積したり、或いはこれら石や鉄片等が細塵用のスクリーン目に挟まったり、時にはスクリーン目に食い込み、細塵用バースクリーンを破損するという問題があった。
このような石や鉄片等の硬い異物が細塵用スクリーン目に挟まったり、食い込んだ状態でレーキを運行するとレーキの先端部が折れ曲がったり、破損したりして除塵機が運転不能となるという問題があった。
【先行技術文献】
【特許文献】
【０００５】
【特許文献１】特許第３７６８５１８号公報
【発明の概要】
【発明が解決しようとする課題】
【０００６】
本発明は、上記従来の粗目、細塵兼用バースクリーン式除塵機の有する問題点に鑑み、流入する石や鉄片等の硬い異物を粗目用バースクリーンより下流側に流下させ、バースクリーンより下流側の沈砂池等で処理するようにした粗目、細塵兼用バースクリーン式除塵機を提供することを目的とする。
【課題を解決するための手段】
【０００７】
上記目的を達成するため、本発明の粗目、細塵兼用バースクリーン式除塵機は、粗目用バースクリーンと細塵用バースクリーンとを所要の目幅になるよう組み合わせて一体に形成したバースクリーンを流水路に配設し、該バースクリーンに沿って昇降し、かつこれに捕捉されたごみを掻き揚げ排出するレーキを配設して構成した粗目、細塵兼用バースクリーン式除塵機において、流水路の底部位置にまで達するバースクリーンの下部位置に、細塵用バースクリーンを省いて粗目用バースクリーンのみにて流入石流下通路を構成したことを特徴とする。
【０００８】
この場合において、流水路の底部位置にまで達するバースクリーンの下部位置に形成する流入石流下通路の高さを、流水路内に流入する石が流下する程度に設定して構成することができる。
【０００９】
また、粗目用バースクリーンの前端面を細塵用バースクリーンの前端面より前方位置に突出するように配設して構成することができる。
【発明の効果】
【００１０】
本発明の粗目、細塵兼用バースクリーン式除塵機によれば、粗目用バースクリーンと細塵用バースクリーンとを所要の目幅になるよう組み合わせて一体に形成したバースクリーンを流水路に配設し、該バースクリーンに沿って昇降し、このバースクリーンにて捕捉されたごみを掻き揚げ排出するレーキを配設して構成した粗目、細塵兼用バースクリーン式除塵機において、流水路の底部位置にまで達するバースクリーンの下部位置に、細塵用バースクリーンを省いて粗目用バースクリーンのみにて流入石流下通路を構成することにより、ゲリラ豪雨等において急激に流入水量の増加し、これと共に石や鉄片等の硬い異物が流水路内に流入しても、細塵用バースクリーンを省いた流入石流下通路を経て下流側にスムースに流下させることができるので、バースクリーンの下部位置において堆積することもなく、またバースクリーンやレーキを破損することなく、安全に除塵機を運転することができる。
【００１１】
また、流水路の底部位置にまで達するバースクリーン下部位置に形成する流入石流下通路の高さを、流水路内に流入する石が流下する程度に設定して構成することにより、ゲリラ豪雨等にて石などが流入しても細塵用バースクリーンに引っかかることなく確実に下流側へ流下させられるので、除塵機を安全に運転することができる。
【００１２】
また、粗目用バースクリーンの前端面を細塵用バースクリーンの前端面より前方位置に突出するように配設して構成することにより、流入物の粗ごみが最初に粗目用スクリーンバーの前端面にて捕捉されるので、細塵用スクリーンバーに流入物の粗ごみが衝突するのを防ぐことができ、このため細塵用スクリーンバーの厚さを最小限に薄くしてもスクリーンバーの変形を防止することが可能となり、これによりスクリーンの通過面積を広く取れるようにすることができる。
【図面の簡単な説明】
【００１３】
【図１】本発明の粗目、細塵兼用バースクリーン式除塵機の一実施例を示すバースクリーンの外観斜視図である。
【図２】本発明の粗目、細塵兼用バースクリーン式除塵機の下部部分を示す縦断側面図である。
【図３】粗目、細塵兼用バースクリーン式除塵機に使用するレーキの外観斜視図である。
【図４】バースクリーン式除塵機の説明図である。
【図５】従来の粗目、細塵兼用バースクリーン式除塵機のバースクリーンを示す外観斜視図である。
【発明を実施するための形態】
【００１４】
以下、本発明の粗目、細塵兼用バースクリーン式除塵機の実施の形態を、図面に基づいて説明する。
【実施例１】
【００１５】
図１〜図４に、本発明の粗目、細塵兼用バースクリーン式除塵機の一実施例を示す。
この粗目、細塵兼用バースクリーン式除塵機Ａは、図４に示すように、合流式下水処理場等の流水路Ｄ内に、該流水路Ｄを遮断するように、かつ流水路Ｄの底部位置にまで達するようにしてバースクリーンＢを配設して該流水中のごみ５を捕捉除去するとともに、該バースクリーンＢと噛合し、かつバースクリーンＢに沿って昇降移動し、捕捉ごみ５を掻き揚げ排出するためのレーキＣとより構成している。
【００１６】
また、この粗目、細塵兼用バースクリーン式除塵機ＡのバースクリーンＢは、図１〜図２に示すように、粗目用バースクリーンＢ１と細塵用バースクリーンＢ２とを組み合わせて一体に構成するものである。
この粗目用バースクリーンＢ１は、主として流下するごみの内、粗ごみを捕捉するもので、流水路Ｄの底部位置にまで達する長さを有し、かつこの粗ごみを捕捉するのに必要な強度を有するようにして定めた所要の幅と板厚及び長さを有する細帯状の平鋼（以下、「粗目用スクリーンバー１」という。）の複数本を等間隔の目幅Ｗ１に配設して構成する。
細塵用バースクリーンＢ２は、この粗目用バースクリーンＢ１を構成するスクリーンバー１の目幅Ｗ１内に、粗目用スクリーンバー１の板厚よりも薄く、かつ幅も小となるように細帯状の平鋼よりなる細塵用スクリーンバー２を形成し、この細塵用スクリーンバー２の１枚乃至は複数枚を等間隔の目幅Ｗ２に隣接配設して固定して構成するとともに、この粗目用バースクリーンＢ１と細塵用バースクリーンＢ２のスクリーンバー１、２間に固定金具、例えば、貫通ボルト３を貫通することで一体となるよう組み合わせるようにする。
【００１７】
この場合、粗目用スクリーンバー１は、流水路Ｄの内底部にまで達する長さを有し、一方細塵用スクリーンバー２の長さは、図１に示すように、該粗目用スクリーンバー長よりも流入石流下通路Ｅを構成する分だけ短く設定する。この流入石流下通路Ｅは、隣接する粗目用スクリーンバー１、１間にそれぞれ形成されるもので、流入石流下通路Ｅの高さＨは流水路Ｄ内に流入することが許容される大きさの石４が該流入石流下通路Ｅをスムースに流下できる程度に設定することができる。
これにより、流水路Ｄ内に流入し、かつ細塵用バースクリーンＢ２を流下できない石４や鉄屑などの硬い異物は、バースクリーンＢの下部、即ち流水路底部に滞留することなく流入石流下通路Ｅを経て矢符Ｆのように下流方向へ流下するので、バースクリーンＢやレーキの破損を未然に防止し、バースクリーン式除塵機を安全に運転することができる。
【００１８】
なお、粗目用バースクリーンＢ１の粗目用スクリーンバー１は、予め定めた大きさの流下ごみ（粗ごみ）を捕捉できる間隔に配設するが、この粗目用スクリーンバー１の間隔（目幅）Ｗ１は比較的大きく設定し、また細塵用バースクリーンＢ２の板厚は、予め設定された細塵を捕捉できるように、かつ可及的にスクリーンの通過面積を広く取れるようにするために最小限に薄くするように設定する。これにより、細塵用バースクリーンＢ２の開口率の向上を図ることができる。
【００１９】
また、図１に示すように、所要間隔に配設される粗目用スクリーンバー１、１の間に、細塵用スクリーンバー２の１枚乃至は複数枚、特に限定されるものではないが、例えば、図示の実施例では４枚を、等間隔にて配設するが、この場合、隣接する細塵用スクリーンバー２、２間は勿論のこと、粗目用スクリーンバー１と細塵用スクリーンバー２間の間隔も細塵用バースクリーンＢ２の目幅Ｗ２となるように設定する。
【００２０】
このように、粗目用バースクリーンＢ１の粗目用スクリーンバー１、１間に、細塵用スクリーンバー２、２、２、２を配設して一体とする場合、例えば、図１に示すように、粗目用バースクリーンＢ１の前端面、より詳しくは粗目用スクリーンバー１の前端面を、細塵用スクリーンバー２の前端面より上流側に突出するよう構成する。
これにより、流下するごみ５が粗ごみと細塵との混合状態となっていても、最初に上流側に突出している粗目用バースクリーンＢ１にて粗ごみが捕捉され、この粗ごみの流下抵抗を粗目用バースクリーンＢ１にて支持するので、細塵用スクリーンバー２には粗ごみが衝突するのを防ぐことができ、かつ板厚の薄い細塵用スクリーンバー２の変形を未然に防止することができる。
【００２１】
このレーキＣは、特に限定されるものではないが、例えば、図２、図３及び図４に示すように、上下に配設するスプロケットホイールＳ１、Ｓ２間にエンドレスチェンＣａを駆動可能に張架し、該エンドレスチェンＣａに１又は複数のレーキＣ、Ｃを固定して構成する。
このレーキＣは、図３に示すように、目幅Ｗ１の大なる粗目用スクリーンバー１、１と噛合する粗目用レーキＣ１と、目幅Ｗ２の小なる細塵用スクリーンバー２、２と噛合する細塵用レーキＣ２とを組み合わせて一体に構成するようにする。
これにより、レーキＣのバースクリーンＢ面に沿っての移動により粗目用バースクリーンＢ１にて捕捉された粗ごみと、細塵用バースクリーンＢ２にて捕捉された細塵とを同時に掻き揚げ、排出することができる。
【００２２】
以上、本発明の粗目、細塵兼用バースクリーン式除塵機について、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の粗目、細塵兼用バースクリーン式除塵機は、バースクリーンの下部位置において、流入石流下通路を構成することで、流入する石や鉄片等の硬い異物を粗目用バースクリーンより下流側に流下させて処理するという特性を有していることから、合流式下水処理場において使用する粗目、細塵兼用バースクリーン式除塵機の用途に好適に用いることができる。
【符号の説明】
【００２４】
Ａ    粗目、細塵兼用バースクリーン式除塵機
Ｂ    バースクリーン
Ｂ１  粗目用バースクリーン
Ｂ２  細塵用バースクリーン
Ｃ    レーキ
Ｃ１  粗目用レーキ
Ｃ２  細塵用レーキ
Ｄ    流水路
Ｅ    流入石流下通路
１    粗目用スクリーンバー
２    細塵用スクリーンバー
３    貫通ボルト
４    石
５    ごみ
【図１】
2011236569.tif 000003
【図２】
2011236569.tif 000004
【図３】
2011236569.tif 000005
【図４】
2011236569.tif 000006
【図５】
2011236569.tif 000007